(57)【要約】【課題】燃焼部配備体と燃焼部支持体とが連結部材により連結された玩具煙火において、燃焼部配備体と燃焼部支持体との連結作業を極めて容易に行うことができると共に、強固な連結状態を保持でき、さらに低廉に作製できる玩具煙火およびその製造方法を提供する。【解決手段】本発明の玩具煙火１は、燃焼部配備体２と、燃焼部配備体２を支持するための燃焼部支持体３と、燃焼部配備体２と燃焼部支持体３とを連結するための連結部材４とを有しており、連結部材４として粘着テープ４が使用され、粘着テープ４が燃焼部配備体２と燃焼部支持体粘着テープ３にそれぞれ巻回貼着されて連結されている。【選択図】  図１
2004169934.tif 000002
【特許請求の範囲】
【請求項１】
燃焼部配備体と、該燃焼部配備体を支持するための燃焼部支持体と、前記燃焼部配備体と前記燃焼部支持体とを連結するための連結部材とを有する玩具煙火であって、前記連結部材として粘着テープが使用され、当該粘着テープが前記燃焼部配備体と前記燃焼部支持体粘着テープにそれぞれ巻回貼着されて連結されていることを特徴とする玩具煙火。
【請求項２】
燃焼部を配した燃焼部配備体を形成する工程と、前記燃焼部配備体と該燃焼部配備体を支持するための燃焼部支持体とを連結する工程とを有し、前記連結工程では、粘着テープを前記燃焼部配備体と前記燃焼部支持体とに巻回貼着して連結することを特徴とする玩具煙火の製造方法。
【請求項３】
前記連結工程は、短冊状に形成された前記粘着テープを、前記燃焼部配備体と前記燃焼部支持体との表面にそれぞれ螺旋状に巻回貼着することにより、前記燃焼部配備体と前記燃焼部支持体とを連結するものである請求項２に記載の玩具煙火の製造方法。
【請求項４】
前記連結工程は、前記短冊状粘着テープの両端部をそれぞれ前記燃焼部配備体と前記燃焼部支持体に付着させる工程と、前記燃焼部配備体と前記燃焼部支持体とを逆方向に回転させることにより、前記短冊状粘着テープを巻回貼着させる工程とを有している請求項３に記載の玩具煙火の製造方法。
【発明の詳細な説明】
【０００１】
【発明の属する技術分野】
本発明は花火遊戯に供する玩具煙火に関する。より詳しくは、燃焼部配備体と、燃焼部配備体を支持するための燃焼部支持体と、燃焼部配備体と燃焼部支持体とを連結するための連結部材とを有した玩具煙火およびその製造方法に関する。
【０００２】
【従来の技術】
従来より、燃焼部を備えた燃焼部配備体と、この燃焼部配備体との間に連結部材を介して連結され、燃焼部配備体を支持する燃焼部支持体とを有した玩具煙火が提供されている。
【０００３】
具体的には、例えば、一本のヒゴの表面に泥薬を付着させた燃焼部配備体と、この燃焼部配備体の基端部付近と、他のヒゴからなる燃焼部支持体の先端部付近とを連結部材にて連結したスパークラーなどがある。そして、このような玩具煙火における連結部材としては、バネ、糸、紐などが一般的に多用されている。
【０００４】
【発明が解決しようとする課題】
しかし、バネ、糸、紐などは取り付け作業が煩雑であり、燃焼部配備体が燃焼部支持体から外れないよう強固に連結するためには、接着剤等の接着材を要したり、それぞれの連結部に係止用凹部または凸部などを形成することが必要であり、コスト高の一要因となっていた。
【０００５】
そこで、本発明の課題は、燃焼部配備体と燃焼部支持体とが連結部材により連結された玩具煙火において、燃焼部配備体と燃焼部支持体との連結作業を極めて容易に行うことができると共に、強固な連結状態を保持でき、さらに低廉に作製できる玩具煙火およびその製造方法を提供することにある。
【０００６】
【課題を解決するための手段】
上記課題を解決するものは、燃焼部配備体と、該燃焼部配備体を支持するための燃焼部支持体と、前記燃焼部配備体と前記燃焼部支持体とを連結するための連結部材とを有する玩具煙火であって、前記連結部材として粘着テープが使用され、当該粘着テープが前記燃焼部配備体と前記燃焼部支持体粘着テープにそれぞれ巻回貼着されて連結されていることを特徴とする玩具煙火である。
【０００７】
また、上記課題を解決するものは、燃焼部を配した燃焼部配備体を形成する工程と、前記燃焼部配備体と該燃焼部配備体を支持するための燃焼部支持体とを連結する工程とを有し、前記連結工程では、粘着テープを前記燃焼部配備体と前記燃焼部支持体とに巻回貼着して連結することを特徴とする玩具煙火の製造方法である。
【０００８】
前記連結工程は、短冊状に形成された前記粘着テープを、前記燃焼部配備体と前記燃焼部支持体との表面にそれぞれ螺旋状に巻回貼着することにより、前記燃焼部配備体と前記燃焼部支持体とを連結するものであることが好ましい。前記連結工程は、前記短冊状粘着テープの両端部をそれぞれ前記燃焼部配備体と前記燃焼部支持体に付着させる工程と、前記燃焼部配備体と前記燃焼部支持体とを逆方向に回転させることにより、前記短冊状粘着テープを巻回貼着させる工程とを有していることが好ましい。
【０００９】
【作用】
本発明の玩具煙火は、燃焼部配備体と前記燃焼部支持体とを連結するための連結部材として、粘着テープが使用されているため、他の接着材や係止部形成が不要である。また、連結作業は粘着テープの巻回貼着のみであり極めて容易であると共に強固な連結状態が保持される。さらに、連結作業が極めて容易であることにより玩具煙火を低廉に提供できる。
【００１０】
【発明の実施の形態】
以下、本発明の玩具煙火およびその製造方法を、図面に示した一実施例を用いて説明する。図１は本発明の玩具煙火の一実施例の斜視図であり、図２または図３は本発明の玩具煙火の製造方法の特徴的な一工程を説明するための説明図である。
【００１１】
この実施例の玩具煙火１は、図１に示すように、本発明をスパークラーに適用したものであり、燃焼部配備体２と、燃焼部配備体２を支持するための燃焼部支持体３と、燃焼部配備体２と燃焼部支持体３とを連結するための連結部材４とを有しており、連結部材４として粘着テープ４が使用され、この粘着テープ４が燃焼部配備体２と燃焼部支持体粘着テープ３にそれぞれ巻回貼着されて連結されている。以下、各構成について順次詳述する。
【００１２】
燃焼部配備体２は、燃焼部５を備えるものであり、この燃焼部５の先端部位（後述する第１火薬部６の先端）に点火すると、基端側に向かって徐々に燃焼して花火現象を生起させる。
【００１３】
燃焼部５は、棒状体の外面に、異なる成分組成からなり異なる花火現象を生起させる２種類の泥薬を付着させるすることにより形成された、第１火薬部６と第２火薬部７とから構成されている。
【００１４】
燃焼部支持体３は、燃焼部配備体２を支持するためのものであり、後述する連結部材４を介して燃焼部配備体２と連結されている。この実施例の燃焼部支持体３は、燃焼部配備体２の棒状体と略同一長の棒状体にて形成されており、花火遊戯時には、この燃焼部支持体３を把持して、燃焼部配備体２を垂下させた状態で点火して遊戯する。
【００１５】
燃焼部配備体２または燃焼部支持体３の構成基材である棒状体としては、木ヒゴ、竹ヒゴなどの木質系材料の他、金属製材料、紙製材料、或いは樹脂製材料などが好適に使用できるが、この実施例では木ヒゴが使用されている。
【００１６】
連結部材４は、燃焼部配備体２と燃焼部支持体３とを連結するための部材であり、本発明では粘着テープ４が使用されている。これにより、他の接着材や係止部の形成も不要となり、連結作業が極めて容易なものとなる。
【００１７】
なお、本願において、粘着テープとは、基材層と、その基材層の少なくとも一面側に粘着層を有するシート材を広く包含する概念であり、平面形状は問わず、燃焼部配備体または燃焼部支持体に貼着可能で、かつ容易に剥離しない程度の粘着力を有するものであれば粘着層の形成材料もどのようなものでもよい。また基材層の形成材料や平面形状もどのようなものであってもよい。
【００１８】
この実施例では、粘着テープ４として、図３に示すように、基材層の一面側にアルミ蒸着層を備えた非粘着層４ｆを形成し、他面側に粘着層４ｇを形成したアルミ蒸着テープが使用されており、このようなアルミ蒸着テープを使用することによって、より強固な連結状態を保持することができると共に、より見栄えの良い玩具煙火を構成できる。
【００１９】
そして、粘着テープ４は、図２または図３に示すように、燃焼部配備体２と燃焼部支持体粘着テープ３にそれぞれ巻回貼着されることにより、両者が連結されている。具体的巻回貼着方法については、後述する製造方法にて詳細説明する。
【００２０】
なお、この実施例の玩具煙火１は、本発明をスパークラーに適用した例であるため、上記のような構造となっているが、本発明の玩具煙火はスパークラーに限定されるものではなく、例えば吹き出し花火に適用したものでもよい。その場合、燃焼部配備体は内部に火薬を装填した筒状体（紙管等）構造となり、他方、燃焼部支持体も筒状体などが使用されていてもよい。
【００２１】
また、上記実施例では、燃焼部配備体２は１つであるが、複数有するものでもよく、他方、燃焼部支持体も複数からなるものでもよい。さらに、上記実施例は燃焼部支持体を把持して遊戯するものであるが、燃焼部支持体は燃焼部配備体を支持するものであればよく、例えば燃焼部支持体自体も他の構造体等に支持されるものでもよい。さらに、燃焼部配備体または燃焼部支持体は、棒状体または筒状体などの長尺体に限定されるものではなく、粘着テープを巻回貼着することにより、両者を連結可能なものであればどのような形態のものでもよい。
【００２２】
つぎに、本発明の玩具煙火の製造方法について説明する。
本発明の玩具煙火１は、燃焼部５を配した燃焼部配備体２を形成する工程と、燃焼部配備体２と燃焼部配備体２を支持するための燃焼部支持体３とを連結する工程とを有し、連結工程では、粘着テープ４を燃焼部配備体２と前記燃焼部支持体２とに巻回貼着して連結する。以下、各工程について詳述する。
【００２３】
燃焼部５を配した燃焼部配備体２を形成する工程では、燃焼部配備体２の基材材料である木ヒゴを泥薬内に浸漬して、木ヒゴの表面に泥薬を付着させ、まず第２火薬部７を形成する。つぎに、第２火薬部７を乾燥させた後、木ヒゴの先端付近のみを異なる成分組成の泥薬内に浸漬して表面に泥薬を付着させ、第１の火薬部６を形成する。
【００２４】
燃焼部配備体２と燃焼部支持体３とを連結する工程では、燃焼部配備体２と略同一長の木ヒゴからなる燃焼部支持体３を準備して、燃焼部配備体２の基端部２ａ付近と、燃焼部支持体３の先端部３ａ付近とを粘着テープ４にて連結する。
【００２５】
具体的には、この実施例では、短冊状に形成された粘着テープ４を、燃焼部配備体２と燃焼部支持体３との表面にそれぞれ螺旋状に巻回貼着することにより、燃焼部配備体２と前記燃焼部支持体３とが連結されている。このように、一枚の短冊状粘着テープ４を使用し、それを螺旋状に巻回貼着することにより、連結作業が極めて容易になると共に、強固に連結される。
【００２６】
より具体的には、この連結工程は、図２に示すように、短冊状粘着テープ４の両端部４ｄ，４ｅを燃焼部配備体２の基端部２ａ付近と燃焼部支持体３の先端部３ａ付近にそれぞれ付着させる第１工程と、図３に示すように、燃焼部配備体２と燃焼部支持体３とを逆方向に回転させることにより、短冊状粘着テープ４を巻回貼着させる第２工程とからなっている。
【００２７】
第１工程では、図２に示すように、短冊状粘着テープの粘着層４ｇに燃焼部配備体２の基端部２ａと燃焼部支持体３の先端部３ａを載置して、短冊状粘着テープ４の一端部４ｄ，他端部４ｅを予め燃焼部配備体２と燃焼部支持体３に付着する。この状態で、第２工程のように巻回貼着して行けば、短冊状粘着テープ４の一端部４ｄ，他端部４ｅは、それらの上面に巻回される短冊状粘着テープ４に被覆され外部に露呈することがないため、粘着テープ４が端部から捲れ上がることを防止できる。
【００２８】
第２工程では、燃焼部配備体２と燃焼部支持体３とを逆方向（燃焼部配備体２と燃焼部支持体３とが近付く方向）に回転させることにより、短冊状粘着テープ４を巻回貼着させて行く。具体的には、図３では、燃焼部配備体２をｈ方向（時計回り）に回転させ、燃焼部支持体３をｉ方向（反時計回り）に回転させて行く。これにより、図１に示すように、燃焼部配備体２は巻回貼着部４ａにより固着され、燃焼部支持体３は巻回貼着部４ｃによって固着され、さらに、燃焼部配備体２と燃焼部支持体３とを逆方向に回転させると捩り部４ｂが形成されて、燃焼部配備体２と燃焼部支持体３とが強固に連結される。
【００２９】
なお、この実施例の玩具煙火１の製造方法では、粘着テープ４を螺旋状に巻回貼着して燃焼部配備体２と燃焼部支持体３とを連結しているが、これに限定されるものではなく、燃焼部配備体と燃焼部支持体とに、粘着テープを巻回貼着して連結するものであれば、どのように連結したものも本発明の範疇に包含される。また、この実施例の玩具煙火１の製造方法では、短冊状の粘着テープ４を用いて連結しているが、これに限定されるものではなく、どのような平面形状を有するものにて燃焼部配備体と燃焼部支持体とを連結してもよい。さらに、この実施例の玩具煙火１の製造方法では、一枚の粘着テープ４により連結されているが、複数枚の粘着テープにより連結されたものも本発明の範疇に包含される。
【００３０】
【発明の効果】
請求項１および２に記載した発明によれば、燃焼部配備体と燃焼部支持体とが連結部材により連結された玩具煙火において、燃焼部配備体と燃焼部支持体との連結作業を極めて容易に行うことができると共に、強固な連結状態を保持でき、さらに低廉に作製できる。
請求項２に記載した発明によれば、燃焼部配備体と燃焼部支持体とが連結部材により連結された玩具煙火において、燃焼部配備体と燃焼部支持体との連結作業を極めて容易に行うことができると共に、強固な連結状態を保持でき、さらに低廉に作製できる。
請求項３に記載した発明によれば、燃焼部配備体と燃焼部支持体とをより容易かつ強固に連結できる。
請求項４に記載した発明によれば、粘着テープの端部が露呈することなく粘着テープの捲れ上がりを抑止できる。
【図面の簡単な説明】
【図１】本発明の玩具煙火の一実施例の斜視図である。
【図２】本発明の玩具煙火の製造方法の特徴的な一工程を説明するための説明図である。
【図３】本発明の玩具煙火の製造方法の特徴的な一工程を説明するための説明図である。
【符号の説明】
１  玩具煙火
２  燃焼部配備体
２ａ  基端部
３  燃焼部支持体
３ａ  先端部
４  粘着テープ
４ａ  巻回貼着部
４ｂ  捩り部
４ｃ  巻回貼着部
４ｄ  一端部
４ｅ  他端部
４ｆ  非粘着層
４ｇ  粘着層
５  燃焼部
６  第１火薬部
７  第２火薬部
【図１】
2004169934.tif 000003
【図２】
2004169934.tif 000004
【図３】
2004169934.tif 000005